(57)【要約】      （修正有）【課題】認証対象のユーザーの観点から見てより実施が簡単でかつ／または迅速なものにする生体認証システムを提供する。【解決手段】ユーザーに関連付けられた少なくとも１つの生体要素とユーザーに関連付けられた少なくとも１つの識別子とを表わす画像データを獲得する手段と、画像データ中の少なくとも１つの生体要素を抽出する手段と、画像データ中の少なくとも１つの識別子を抽出する手段と、少なくとも１つの識別子に関連付けられた基準生体要素の検索を開始する手段と、抽出された生体要素と基準生体要素とを比較する手段と、比較の結果に応じてユーザーを認証する手段と、を含む。【選択図】図２
2014083452.tif 000002
【特許請求の範囲】
【請求項１】
ユーザーの生体認証システムにおいて、
ユーザーに関連付けられた少なくとも１つの生体要素とユーザーに関連付けられた少なくとも１つの識別子とを表わす画像データを獲得する手段と、
前記画像データ中の前記少なくとも１つの生体要素を抽出する手段と、
前記画像データ中の前記少なくとも１つの識別子を抽出する手段と、
前記少なくとも１つの識別子に関連付けられた基準生体要素の検索を開始する手段と、
抽出された前記生体要素と前記基準生体要素とを比較する手段と、
前記比較の結果に応じて前記ユーザーを認証する手段と、
を含むシステム。
【請求項２】
前記画像データが同一の画像に属する、請求項１に記載のシステム。
【請求項３】
前記画像データが、それぞれ前記生体要素と前記識別子を表わす少なくとも２つの画像に分割されている請求項１に記載のシステム。
【請求項４】
前記画像データの捕捉のため同一の画像データ捕捉ユニットをさらに含む、請求項１〜３のいずれか一項に記載のシステム。
【請求項５】
前記画像データ捕捉ユニットが、
少なくとも１つの第１の波長にしたがって第１の画像を捕捉し、かつ、
前記少なくとも１つの第１の波長とは異なる少なくとも１つの第２の波長にしたがって第２の画像を捕捉する、
ように構成された光学ユニットである、請求項３および４を組合せたシステム。
【請求項６】
前記画像データの捕捉のための少なくとも２つの画像データ捕捉ユニットをさらに含む、請求項１〜３のいずれか一項に記載のシステム。
【請求項７】
第１の画像データ捕捉ユニットによる前記生体要素を表わす第１の画像の捕捉手段と、
第１の画像データ捕捉ユニットとは異なる第２の画像データ捕捉ユニットによる前記識別子を表わす第２の画像の捕捉手段と、
を含む、請求項３および６を組合せたシステム。
【請求項８】
前記生体要素が、ユーザーの指紋、ユーザーの静脈網およびユーザーの顔のうちの少なくとも１つである、請求項１〜７のいずれか一項に記載のシステム。
【請求項９】
前記生体要素が、ユーザーの虹彩である、請求項１〜７のいずれか一項に記載のシステム。
【請求項１０】
前記識別子が、刺青、彫刻および接着性媒体の被着のうちの少なくとも１つによりユーザーの皮膚の一部分に書き込まれる、請求項１〜９のいずれか一項に記載のシステム。
【請求項１１】
前記識別子が、ユーザーの皮膚の一要素の下に配置された皮下要素上に書き込まれる、請求項１〜９のいずれか一項に記載のシステム。
【請求項１２】
前記識別子が、ユーザーが装用する眼科用レンズまたはメガネフレーム上に書き込まれる、請求項１〜９のいずれか一項に記載のシステム。
【請求項１３】
前記識別子が、遠隔サーバーへのリンクを含む、請求項１〜１２のいずれか一項に記載のシステム。
【請求項１４】
前記生体要素および前記識別子が重ね合わされている、請求項１〜１３のいずれか一項に記載のシステム。
【請求項１５】
前記識別子が、ユーザーに関連付けられた携帯用電子デバイスのスクリーン上に表示される、請求項１〜１４のいずれか一項に記載のシステム。
【請求項１６】
識別子の媒体をユーザーに提供する手段をさらに含み、前記手段が、
ユーザーに関連付けられた生体要素を表わす画像データの捕捉手段と、
ユーザーに関連付けられた識別子の生成手段と、
基準生体要素として捕捉された前記データおよび前記識別子を、前記捕捉されたデータと前記識別子を関連付ける表中に記憶する手段と、
前記媒体中に前記識別子を書き込む手段と、
を含む、請求項１〜１５のいずれか一項に記載のシステム。
【請求項１７】
前記書き込み手段が、
ユーザーの皮膚の一要素上に識別子を刺青する手段、
ユーザーの皮膚の一要素上に識別子を彫刻する手段、
接着性媒体上に前記識別子を印刷し、ユーザーの皮膚の一要素上に前記媒体を接着する手段、
前記識別子を表示するように構成されユーザーに関連付けられた携帯用電子デバイス中に前記識別子を記憶する手段、
ユーザーに関連付けられた眼科用レンズまたはメガネフレーム上に前記識別子を彫刻する手段、
のうち少なくとも１つを含む、請求項１５に記載のシステム。
【請求項１８】
ユーザーに関連付けられた眼科用レンズおよびメガネフレームのうちの少なくとも１つをさらに含み、前記眼科用レンズおよび前記メガネフレームが、ユーザーに関連付けられた前記識別子を担持している、請求項１〜１７のいずれか一項に記載のシステム。
【請求項１９】
ユーザーの生体認証方法において
ユーザーに関連付けられた少なくとも１つの生体要素およびユーザーに関連付けられた少なくとも１つの識別子を表わす画像データを獲得するステップと、
前記画像データ中の前記少なくとも１つの生体要素を抽出するステップと、
前記画像データ中の前記少なくとも１つの識別子を抽出するステップと、
前記少なくとも１つの識別子に関連付けられた基準生体要素の検索を開始するステップと、
抽出された前記生体要素と前記基準生体要素とを比較するステップと、
前記比較の結果に応じて前記ユーザーを認証するステップと、
を含む方法。
【請求項２０】
ユーザーの生体認証システムのプロセッサーによりロードされ実行された場合に請求項１９に記載の方法を実施するための命令を含むコンピュータプログラム。
【発明の詳細な説明】
【技術分野】
【０００１】
本発明は、生体識別（あるいは生体認証）によるセキュリティの分野に関する。
【背景技術】
【０００２】
生体認証は、セキュリティが確保された状態で場所、財産または業務にアクセスできるようにするために利用される。
【０００３】
典型的には、認証すべきユーザーは、認証システムに対して、１つの生体要素すなわち指紋、虹彩、その他を提示する。次に、この要素の画像を獲得し分析して、予め登録されたユーザーに関連付けられた画像バンクと比較する。獲得した画像が予め登録された画像に対応する場合、予め登録された画像に対応するユーザーが、セキュリティの確保された場所、財産または業務にアクセスすることを許可されるか否かが確認される。
【０００４】
予め登録された画像の検索を容易にするため、ユーザーには、例えば自らの名前をキーボードで打ち込むかまたは、アクセスバッジを提示することによって自らを識別させることが求められる可能性がある。こうして、このように識別されたユーザーに対応する予め登録された画像を直接検索し、より迅速に比較に着手することが可能である。
【０００５】
本発明者はこのプロセスにおいて、ユーザー側の全く異なる２つのステップを識別した。すなわち生体によらない識別手段の提示（バッジの提示、キーボードでの名前の入力）と生体要素（虹彩、指紋その他）の提示である。
【０００６】
こうして、生体認証の利用は、その実施の緩慢さによる不利益を被っている。
【発明の概要】
【発明が解決しようとする課題】
【０００７】
したがって、ユーザーの生体認証は、認証対象のユーザーの観点から見てより実施が簡単でかつ／または迅速なものにする必要性が存在する。
【０００８】
本発明はこの枠組に入るものである。
【課題を解決するための手段】
【０００９】
本発明の第１の態様は、ユーザーの生体認証システムにおいて、
−  ユーザーに関連付けられた少なくとも１つの生体要素とユーザーに関連付けられた少なくとも１つの識別子とを表わす画像データを獲得する手段と、
−  前記画像データ中の前記少なくとも１つの生体要素を抽出する手段と、
−  前記画像データ中の前記少なくとも１つの識別子を抽出する手段と、
−  前記少なくとも１つの識別子に関連付けられた基準生体要素の検索を開始する手段と、
−  抽出された前記生体要素と前記基準生体要素とを比較する手段と、
−  前記比較の結果に応じて前記ユーザーを認証する手段と、
を含むシステムに関する。
【００１０】
こうして、識別子の獲得および生体要素の獲得をほぼ同時に行なうことができ、こうしてユーザーが行なうべき操作は簡素化される。例えばユーザーは、画像データの捕捉のため生体識別システムに一回姿を示すだけでよい。
【００１１】
生体要素および識別子の獲得は組合わされ、こうして認証を容易にすることができる。
【００１２】
生体システムには、画像データの捕捉が関与する。本発明によると、この画像処理を利用してそこに識別子の獲得を含む。
【００１３】
本発明は、ユーザーの通過フローが非常に大きい利用分野（駅、飛行場その他の入口）においてさえ、生体認証を使用できるようにする。
【００１４】
さらに、ユーザーが自らの識別子と生体要素を担持する身体の部分を、任意には所与の空間的配置において同時に提示することが必要であるため、不正行為の可能性が削減されることになる。
【００１５】
例えば、前記画像データは同一の画像に属する。
【００１６】
したがって、画像データ捕捉は一回だけ実施される。こうして、特にユーザーの観点から見た認証プロセスの簡素化およびスピードアップが可能である。
【００１７】
前記画像データは同様に、それぞれ前記生体要素と前記識別子を表わす少なくとも２つの画像に分割されていてもよい。
【００１８】
こうして、より繊細な画像分析を実施して、認証の精度およびセキュリティを強化することが可能である。
【００１９】
システムは、前記複数の画像データの捕捉のため同一の画像データ捕捉ユニットを含むことができる。
【００２０】
こうして、生体要素用と識別子用に唯一の画像データ捕捉ユニットを使用することで、認証の実施を簡素化することが可能である。
【００２１】
例えば、画像データ捕捉ユニットは、
−  少なくとも１つの第１の波長にしたがって第１の画像を捕捉し、かつ、
−  前記少なくとも１つの第１の波長とは異なる少なくとも１つの第２の波長にしたがって第２の画像を捕捉する、
ように構成された光学ユニットである。
【００２２】
識別子および生体要素の画像データを獲得するために異なる波長を使用することで、同一の画像データ捕捉ユニットの使用が可能となる。
【００２３】
これにより同様に、人間の目にとっての可視光領域内で不可視的に識別子を書き込んで、それを目立たなくすることも可能になる。
【００２４】
システムはさらに、前記画像データの捕捉のための少なくとも２つの画像データ捕捉ユニットを含んでいてもよい。
【００２５】
こうして、各々の画像データ捕捉のタイプ毎に、極めて適応したユニットタイプを選択することができる。例えば指紋センサーおよびＣＣＤセンサー（「Ｃｈａｒｇｅ−Ｃｏｕｐｌｅｄ  Ｄｅｎｉｃｅ（電荷結合素子）」または電荷移動デバイス）を使用することができる。
【００２６】
例えば、システムはさらに、
−  第１の画像データ捕捉ユニットによる前記生体要素を表わす第１の画像の捕捉手段と、
−  第１の画像データ捕捉ユニットとは異なる第２の画像データ捕捉ユニットによる前記識別子を表わす第２の画像の捕捉手段と、
を含んでいてよい。
【００２７】
生体要素は、例えばユーザーの指紋、ユーザーの静脈網およびユーザーの顔のうちの少なくとも１つである。
【００２８】
例えば前記識別子は、刺青、彫刻および接着性媒体の被着のうちの少なくとも１つによりユーザーの皮膚の一部分に書き込まれる。
【００２９】
刺青は、例えば可視光領域内で不可視であるが紫外線または赤外線において顕示され得るインクを用いて行うことができる。
【００３０】
さらに、例えば前記識別子は、ユーザーの皮膚の一要素の下に配置された皮下要素上に書き込まれる。
【００３１】
生体要素は、ユーザーの虹彩であってもよい。
【００３２】
前記識別子は、ユーザーが装用する眼科用レンズまたはメガネフレーム上に書き込まれてよい。
【００３３】
企図可能な変形実施形態によると、識別子は、（典型的にはユーザーが身につける）宝飾品の表面上に書き込まれてもよい。
【００３４】
これらの応用は全て、生体認証を可能にしながら、ユーザーに識別子を目立つことなく身につけさせることを可能にしている。
【００３５】
企図可能な別の変形形態によると、識別子は、例えばＩＳＯ規格７８１６に適合したチップ付きカードなどのチップカード上に書き込むことができる。
【００３６】
前記識別子は同様に、遠隔サーバーへのリンクを含むこともできる。以下で説明する通り、こうしてユーザーの間接的識別が可能になる。
【００３７】
前記生体要素および前記識別子は例えば重ね合わされている。
【００３８】
こうして、画像データ捕捉ユニットはより小さい表面上で機能することができ、こうしてシステムにとっての必要空間は削減される。その上、ユーザーが最初に生体要素をそして次に識別子を（またはその逆）提示するための動作を行なうことが回避される。
【００３９】
前記識別子を、ユーザーに関連付けられた携帯型電子デバイスのスクリーン上に表示することもできる。
【００４０】
このようにしてさらに複雑な識別子を使用することが可能である。同様に識別子をより定期的に更新することもできる。
【００４１】
識別子の媒体をユーザーに提供するプロセスも想定することができる。
【００４２】
その場合、システムは、
−  ユーザーに関連付けられた生体要素を表わす画像データの獲得手段と、
−  ユーザーに関連付けられた識別子の生成手段と、
−  基準生体要素として獲得された前記データおよび前記識別子を、前記獲得されたデータと前記識別子を関連付ける表中に記憶する手段と、
−  前記媒体中に前記識別子を書き込む手段と、
を含むことができる。
【００４３】
例えば、前記書き込み手段は、
−  ユーザーの皮膚の一要素上に識別子を刺青する手段、
−  ユーザーの皮膚の一要素上に識別子を彫刻する手段、
−  接着性媒体上に前記識別子を印刷し、ユーザーの皮膚の一要素上に前記媒体を接着する手段、
−  前記識別子を表示するように構成されユーザーに関連付けられた携帯用電子デバイス中に前記識別子を記憶する手段、
−  ユーザーに関連付けられた眼科用レンズまたはメガネフレーム上に前記識別子を彫刻する手段、
のうち少なくとも１つを含む。
【００４４】
本発明の第２の態様は、ユーザーの生体認証方法において
−  ユーザーに関連付けられた少なくとも１つの生体要素およびユーザーに関連付けられた少なくとも１つの識別子を表わす画像データを獲得するステップと、
−  前記画像データ中の前記少なくとも１つの生体要素を抽出するステップと、
−  前記画像データ中の前記少なくとも１つの識別子を抽出するステップと、
−  前記少なくとも１つの識別子に関連付けられた基準生体要素の検索を開始するステップと、
−  抽出された前記生体要素と前記基準生体要素とを比較するステップと、
−  前記比較の結果に応じて前記ユーザーを認証するステップと、
を含む方法に関する。
【００４５】
例えば、前記画像データは同一の画像に属する。
【００４６】
前記画像データを、それぞれ前記生体要素と前記識別子を表わす少なくとも２つの画像に分割することも可能である。
【００４７】
この方法は、同一の画像データ捕捉ユニットを用いた前記画像データ捕捉ステップをさらに含むことができる。
【００４８】
例えば、前記画像データ捕捉ユニットは光学ユニットであり、方法には、
−  少なくとも１つの第１の波長にしたがった前記光学的画像データ捕捉ユニットによる第１の画像の捕捉ステップと、
−  前記少なくとも１つの第１の波長とは異なる少なくとも１つの第２の波長にしたがった前記光学的画像データ捕捉ユニットによる第２の画像の捕捉ステップと、
が含まれる。
【００４９】
この方法は、少なくとも２つの画像データ捕捉獲得ユニットを用いた前記画像データの捕捉ステップをさらに含むことができる。
【００５０】
例えば、方法はさらに、
−  第１の画像データ捕捉ユニットによる前記生体要素を表わす第１の画像の捕捉ステップと、
−  第１の画像データ捕捉ユニットとは異なる第２の画像データ捕捉ユニットによる前記識別子を表わす第２の画像の捕捉ステップと、
を含んでいてよい。
【００５１】
生体要素は、例えばユーザーの指紋、ユーザーの静脈網およびユーザーの顔のうちの少なくとも１つである。
【００５２】
例えば前記識別子は、刺青、彫刻および接着性媒体の被着のうちの少なくとも１つによりユーザーの皮膚の一部分に書き込まれる。
【００５３】
刺青は、例えば可視光領域内で不可視であるが紫外線または赤外線において顕示され得るインクを用いて行うことができる。
【００５４】
さらに、例えば前記識別子は、ユーザーの皮膚の一要素の下に配置された皮下要素上に書き込まれる。
【００５５】
生体要素は、ユーザーの虹彩であってもよい。
【００５６】
前記識別子は、ユーザーが装用する眼科用レンズまたはメガネフレーム上に書き込まれてよい。
【００５７】
前記生体要素および前記識別子は重ね合わされている。
【００５８】
前記識別子を、ユーザーに関連付けられた携帯型電子デバイスのスクリーン上に表示することができる。
【００５９】
識別子の媒体をユーザーに提供する、以下のステップを含むプロセスも想定することができる。 
−  ユーザーに関連付けられた生体要素を表わす画像データを捕捉するステップ、
−  ユーザーに関連付けられた識別子を生成するステップ、
−  基準生体要素として捕捉された前記データおよび前記識別子を、前記捕捉されたデータと前記識別子を関連付ける表中に記憶するステップ、
−  媒体中に前記識別子を書き込むステップ。
【００６０】
例えば前記書き込みステップには、
−  ユーザーの皮膚の一要素上への識別子の刺青、
−  ユーザーの皮膚の一要素上への識別子の彫刻、
−  接着性媒体上への前記識別子の印刷およびユーザーの皮膚の一要素上への前記媒体の接着、
−  前記識別子を表示するように構成されユーザーに関連付けられた携帯用電子デバイス中への前記識別子の記憶、
−  ユーザーに関連付けられた眼科用レンズまたはメガネフレーム上への前記識別子の彫刻、
のうち少なくとも１つが含まれる。
【００６１】
第３の態様は、プログラムが、生体認証デバイスおよび／またはシステムのプロセッサによりロードされ実行された場合に第２の態様に係る方法の実施を可能にする、コンピュータプログラムならびにコンピュータプログラム製品およびこのようなプログラムおよび製品用の記憶媒体に関する。
【００６２】
第４の態様は、例えば第１の態様に係る方法を実施するためのユーザーの生体認証システムに関する。
【００６３】
このようなシステムは、
−  ユーザーに関連付けられた少なくとも１つの生体要素とユーザーに関連付けられた少なくとも１つの識別子とを表わす画像データを獲得するように構成された通信ユニット、および
−  前記画像データ中の前記少なくとも１つの生体要素を抽出し、前記画像データ中の前記少なくとも１つの識別子を抽出し、前記少なくとも１つの識別子に関連付けられた基準生体要素の検索を開始し、抽出された前記生体要素と前記基準生体要素とを比較し、前記比較の結果に応じて前記ユーザーを認証するように構成されたユニット、
を含むことができる。
【００６４】
システムはさらに、ユーザーの識別子とユーザーの基準生体要素間の対応表を記憶するように構成されたメモリーユニットを含み、前記メモリーユニット中で前記検索が開始される。
【００６５】
システムはさらに、前記画像データを捕捉するための少なくとも１つの画像データ捕捉ユニットを含んでいてよい。
【００６６】
システムはさらに、少なくとも１つの第１の波長にしたがって前記生体要素を表わす第１の画像を捕捉し、かつ前記少なくとも１つの第１の波長とは異なる少なくとも１つの第２の波長にしたがって前記識別子を表わす第２の画像を捕捉するように構成された少なくとも１つの画像データ捕捉ユニットおよび１つの光学的画像データ捕捉ユニットを含み得る。
【００６７】
システムはさらに、少なくとも２つの画像データ捕捉ユニットを含むことができる。
【００６８】
例えば、第１の画像データ捕捉ユニットは、前記生体要素を表わす第１の画像を捕捉するように構成されており、第２の画像データ捕捉ユニットは、前記識別子を表わす第２の画像を捕捉するように構成されている。
【００６９】
システムはさらに、ユーザーに関連付けられた眼科用レンズおよびレンズフレームのうちの少なくとも１つを含むことができ、前記眼科用レンズおよび前記メガネフレームはユーザーに関連付けられた前記識別子を担持している。
【００７０】
第２、第３および第４の態様に係る目的は、第１の態様に係るシステムが提供するものと少なくとも同じ利点を提供する。
【００７１】
それ自体独創的な形で、本発明は、可視光領域外に位置する波長内の画像データの獲得手段を含むユーザーの生体認証システムを提案し、これらの獲得手段は、ユーザーの身体上またはユーザーが装用するアクセサリ上に可視光領域外で形成されたパターン（例えば刺青または印刷）を分析（および抽出）することができる。パターンは、以下で説明する通り１つの識別子を表わすことができる。
【００７２】
本発明の他の利点、目的および特徴は、添付図面を参照しながら、非限定的な例として示された以下の詳細な説明から明らかになる。
【図面の簡単な説明】
【００７３】
【図１】ユーザーの静脈網を用いた認証を示している。
【図２】ユーザーの静脈網を用いた認証を示している。
【図３】ユーザーの静脈網を用いた認証を示している。
【図４】ユーザーの静脈網を用いた認証を示している。
【図５】ユーザーの指紋を用いた認証を示している。
【図６】ユーザーの指紋を用いた認証を示している。
【図７】ユーザーの虹彩を用いた認証を示している。
【図８】ユーザーの虹彩を用いた認証を示している。
【図９】ユーザーの虹彩を用いた認証を示している。
【図１０】ユーザーに関連付けられた識別子を表示する携帯型電子デバイスを用いた認証を示している。
【図１１】ユーザーに関連付けられた識別子を表示する携帯型電子デバイスを用いた認証を示している。
【図１２】実施形態において実施されるステップの流れ図である。
【図１３】実施形態において実施されるステップの流れ図である。
【図１４】実施形態に係るシステムを概略的に示す。
【発明を実施するための形態】
【００７４】
以下では、ユーザーの生体認証様式について説明する。指紋認識、虹彩認識および静脈網認識の実施例について記述する。ただし、本発明は、これらのタイプの生体認識に限定されるわけではない。例えば顔その他のような他の生体要素を使用することが可能である。
【００７５】
図１〜４は、生体要素として、手の静脈網を使用する認証を例示している。
【００７６】
図１は、認証すべきユーザーの手１０を概略的に示す。この手が可視光スペクトルの波長を有する光で照明された場合、手掌のゾーン１１は、手のしわに対応する線１２を出現させる。しかしながら、図２に示されているように、この手が赤外線スペクトルの波長を有する光の照明を受けた場合には、照明された手の皮膚の下にある静脈網２０の画像を獲得することができる。こうして静脈網画像を得ることも同様に可能になる。次に、静脈網は生体要素として使用される。
【００７７】
この目的で、図３により示されているように、ユーザーは、実施形態に係る生体認証システム３１に接続された画像データ捕捉デバイス（ここでは光学デバイス）の上に手１０をかざすことができる。このようなシステムが、図１４を参照して、明細書の以下の部分においてより詳細に記述される。画像データ捕捉デバイスおよび認証システムは、例えば接続ケーブル３２により接続される。あるいは、これらは無線接続で接続されてもよい。画像データ捕捉デバイスは同様に、生体認証システムの一部を成すこともできる。
【００７８】
画像データ捕捉デバイスは、ユーザーが手掌１１をデバイス上にかざした場合に、それを照明できる第１の光源３３を含んでいる。例えば、光源は、赤外線スペクトルの少なくとも１つの波長内で発光する光源である。
【００７９】
画像データ捕捉デバイスは、手掌が照明された場合に静脈網の画像を得るための第１の画像データ捕捉ユニット３４を含む。光源が赤外線内で発光する場合、第１の画像データ捕捉ユニットも同様に赤外線内で機能する。
【００８０】
この画像データ捕捉ユニットは同様に、図４を参照して以下で記述されるように、ユーザーに関連付けられた識別子の画像データを獲得するように構成され得る。あるいは、画像データ捕捉デバイスはさらに、この識別子を表わす画像データの捕捉専用の第２の画像データ捕捉ユニット３５を含むことができる。
【００８１】
図４は、ユーザーの手１０の掌上に書き込まれた識別子４０を示す。この識別子は複数の形状を有し得る。例えば、それは、英数字列の書き込みであり、ここではユーザーの氏名（「ＪＯＨＮ  ＤＯＥ」）に対応する文字列である。この書き込みは、可視光スペクトル内では不可視であるものの例えば赤外線または紫外線などの他の領域内では顕示され得るインクで行なうことができる。
【００８２】
識別子は同様にバーコード、ロゴ、またはユーザーの識別を可能にする他のあらゆる要素であってもよい。
【００８３】
この識別は、例えばユーザーの氏名を用いることによる直接的なものであり得る。この識別は同様に、例えばインターネットネットワーク上で、（例えばＵＲＬまたはインターネットアドレスの形で）ユーザーの氏名などを記憶する遠隔サーバーへのリンクを使用することによる、間接的なものであってもよい。
【００８４】
識別子はインクで実施できるが、彫刻、識別子を担持するラベルの接着などの他の技術を用いて実施することも可能である。その上識別子は、手掌の皮膚の下に設置される皮下データ媒体中に格納されてもよい。ただし、識別子は手掌の皮膚の下の静脈網の画像データの捕捉を可能にするようなものでなければならない。
【００８５】
識別子は、ここでは静脈網である生体要素に重ね合わせることができる。識別子は同様に生体要素からずれた位置にあってもよい。
【００８６】
識別子が可視光領域内で不可視であるインクを用いて手掌上に書き込まれる場合、静脈網に関する画像データの捕捉を混乱させないために、このインクは、静脈網の画像データの捕捉のために使用されるものとは異なる波長に対し感応性を有することができる。
【００８７】
したがって、図３の例においては、画像データ捕捉ユニットは例えば、静脈網に関する画像データを捕捉するために１つの第１の波長（または複数の波長）を使用することができ、画像データ捕捉ユニットは、識別子に関する画像データの捕捉用として異なる１つの波長（または複数の波長）を使用することができる。
【００８８】
画像データ捕捉デバイス３０が唯一つの画像データ捕捉ユニットしか含んでいない場合、このユニットは例えば２つの波長（または複数の波長）で機能することができる。
【００８９】
画像データ捕捉ユニットは光学ユニットに限定されない。例えば超音波ユニット、容量性ユニットなどの他のタイプのユニットを利用することも可能である。
【００９０】
本発明の実施形態は、静脈網を用いたユーザーの認証に限定されない。
【００９１】
以下では、生体要素としてのユーザーの指紋の使用例について記述する。静脈網の使用のために記述した特徴は、特に画像データ捕捉デバイスおよび識別子に関して、以下の例において、実施可能である。
【００９２】
図５は、認証すべきユーザーの手５０を示している。この手の各々の指は、指紋５１を含んでいる。これらの指紋は、実施形態に係る生体要素を構成し得る。例えば、ユーザーに関連付けられた識別子はバーコード５２であり得る。図５の例において、識別子は生体要素（ここでは指紋）に重ね合わされていない。しかしながら、識別子を生体要素に重ね合わせることも可能であると考えられる。
【００９３】
変形形態では、ユーザーの指につけられた装飾具の表面上に識別子を書き込むことができると考えられる。
【００９４】
図６は、手５０の画像データを捕捉するための画像データ捕捉デバイス６０を示している。
【００９５】
このデバイスは、ユーザーの手を受入れるための支持体６１を含む。この支持体は例えば手の形状を有していてよい。手の指を受け入れるための支持体の少なくとも一部分６２の中には、指紋そして任意には識別子と指紋が重ね合わされている場合には識別子に関する画像データを捕捉するための１つの画像データ捕捉ユニット６３が配置されている。この部分の中には、例えば識別子に関するもう１つの画像データ捕捉ユニット６４が配置されていてもよい。図５の例の場合のように、指紋があるゾーンとは異なる指のゾーン内に識別子が存在する場合、ユニット６３および６４は、ユーザーが手を支持体内に置いた場合に指紋がユニット６３に対面し識別子がユニット６４に対面するような形で配置される。
【００９６】
ユニット６３および６４は、すでに記述した通りの光学ユニット、超音波ユニットまたは容量性ユニットなどであり得る。
【００９７】
図３および４を参照して記述されている通り、光学ユニットの場合には、各ユニットは１つの光源に関連付けされ、異なる波長を使用することができる。
【００９８】
画像データ捕捉デバイス６０は、接続ケーブル６４を介してかまたは無線で生体認証システム６５に接続される。このようなシステムについては、図１４を参照して詳述する。画像データ捕捉デバイスは同様にシステム６５の一部を成すこともできる。
【００９９】
以下では、生体要素としてユーザーの虹彩を使用する例について記述する。静脈網および／または指紋の使用について記述した特徴は、特に画像データ捕捉デバイスおよび識別子に関して、以下の例において実施可能である。
【０１００】
図７は、虹彩認識を使用する認証を示している。
【０１０１】
ユーザーは、目７０に眼科用コンタクトレンズ７１を装用している。このレンズの周囲には、ユーザーに関連付けられた１つの識別子７２が書き込まれている。この識別子は例えば、マイクログラビア法により彫刻されるかまたは眼科での使用と相容性あるインクを用いて印刷される。これは、例えばユーザーの氏名（「ＪＯＨＮ  ＤＯＥ」）を表わす英数字列であり得る。図４を参照してすでに記述した通り、この識別子はユーザーを直接識別するためにユーザーの氏名を含むことができる。識別子は、同様に、ユーザーの氏名を格納するサーバーに向かう遠隔サーバーへのリンク（例えばＵＲＬまたはインターネットアドレスの形）を含むこともできる。これは、通し番号でもあり得る。
【０１０２】
識別子は、例えば英数字列、バーコード、ロゴなどの他の形態を有することができる。
【０１０３】
認証には、ここでは、この識別子ならびに目の虹彩７３を表わす画像データの獲得が含まれる。
【０１０４】
図８は、虹彩認識を用いる別の認証を示している。
【０１０５】
ユーザーは、眼科用レンズ（ｌｅｎｔｉｌｌｅ）８１（または眼科用レンズ（ｖｅｒｒｅ））を含む１本のメガネ８０を装用している。このレンズは、その表面上またはその厚み内に、１つの識別子８２を担持している。識別子（英数字列、ロゴ、その他）は、彫刻、印刷その他により施され得る。
【０１０６】
識別子は同様に、レンズに内蔵されるデータ媒体により担持されてもよい。
【０１０７】
最後に、識別子は、レンズに内蔵される代りに、メガネのフレームにより担持されてもよい。
【０１０８】
ここで認証には、この識別子ならびに目３１の虹彩を表わす画像データの獲得が含まれる。
【０１０９】
変形形態では、顔面認識（ユーザーの顔の認識）の枠内で、メガネフレーム上の１つの識別子を使用することができる。その上、顔面認識の場合に利用可能な別の変形形態においては、識別子は顔に彫刻または刺青され得ると考えられる。
【０１１０】
その上、顔または目の虹彩の認識の枠内で、識別子として目の角膜の刺青（角膜入墨）を使用することが企図可能である。
【０１１１】
図９は、図７および８を参照して提示された通りの虹彩および識別子に関する画像データの捕捉のための画像データ捕捉デバイス９０を示している。
【０１１２】
デバイスには、ユーザーがその目を１つ以上の画像データ捕捉ユニット９２に提示するようにユーザーの顎を受入れるための支持体９１を含まれている。
【０１１３】
このユニット９２は、ユーザーの虹彩およびユーザーに関連付けられた識別子を表わす画像データを獲得することができるようにする。１つの画像データ捕捉ユニット（図示せず）が識別子専用であり得る。
【０１１４】
他の例についてすでに示した通り、このユニットは光学タイプのもので、虹彩と識別子用に異なる波長を使用することができる。
【０１１５】
デバイスは、生体認証システム９４に対しケーブル９３でまたは無線で接続され得る。このようなシステムについて、以下で図１４を参照しながら記述する。
【０１１６】
以下では、ユーザーに関連付けられた識別子を表示するための携帯型電子デバイスのスクリーンの使用例について記述する。先行例について記述した特徴は、特に画像データ捕捉デバイス、識別子および生体要素に関して、以下の例において実施可能である。
【０１１７】
図１０は、認証対象のユーザーに関連付けられた携帯型電子デバイスを用いた生体認証を示している。この携帯型電子デバイスの使用は、例えば生体要素としての指紋の使用と組み合わされる。
【０１１８】
ユーザーは手１００に、スクリーン１０２を含む携帯型電子デバイス１０１を持っている。例えば、これは携帯電話である。携帯型電子デバイスは、ユーザーに関連付けられた識別子をそのスクリーン上に表示するように構成される。例えば、識別子はバーコード１０３の形で表示される。識別子は、英数字列、ロゴなどの他の形態を有することができる。
【０１１９】
認証を受けるためには、ユーザーは、モバイル電子デバイスを生体認証システムに提示して、システムが表示された識別子の画像データを捕捉できるようにする。ユーザーは同様に生体要素も提示して、生体認証システムがこの要素の画像データを捕捉できるようにする。
【０１２０】
例えば、ユーザーは、生体認証システム上に携帯型電子デバイスのスクリーンを提示するのと同時に、１本の指１０４をシステムに提示する。例えば、これは人差し指である。ユーザーは例えば、自らの指の指紋も同様にシステムに提示するため人差し指を立てた状態に維持しながら認証システムの真向いに携帯型電子デバイスを保持することができる。
【０１２１】
ユーザーは、例えば虹彩、顔などの別の生体要素を提示することができると考えられる。
【０１２２】
スクリーンの備わった携帯型電子デバイスを使用することにより、皮膚または眼科用レンズの上に印刷されたものに比べてさらに複雑な識別子の実施が可能になる。ユーザーに関連付けられた識別子を定期的に変更することも同様に可能である。
【０１２３】
変形形態では、チップカード、例えばＩＳＯ規格７８１６に適合するチップ付きカードの表面に識別子を書き込むことができる。
【０１２４】
図１１は、図１０を参照して提示された通りの指紋および識別子に関係する画像データの捕捉のための画像データ捕捉デバイス１１０を示している。
【０１２５】
デバイスには、ユーザーが提示する携帯型電子デバイスのスクリーンにより表示された画像に関係する画像データを捕捉するように構成された第１の画像データ捕捉ユニット１１１が含まれている。デバイスには同様に、ユーザーの生体要素、例えば指の指紋に関係する画像データを捕捉するように構成された第２の画像データ捕捉ユニット１１２も含まれている。他の生体要素を使用することもできる。
【０１２６】
他の例についてすでに指摘した通り、画像データ捕捉ユニットは光学タイプのものであり得る。
【０１２７】
デバイスは、ケーブル１１３によってかまたは無線で、生体認証システム１１４に接続可能である。このようなシステムについて、以下で図１４を参照して記述する。
【０１２８】
生体認証の実施方法が、このような方法において実施可能なステップの流れ図である図１２を参照しながら記述される。例えば、これらのステップは、図１４を参照しながら以下で記述するもののような生体認証システムなどの、実施形態に係る生体認証システムによって実施される。
【０１２９】
ステップ１２００は、画像データの捕捉ステップである。これらのデータは、ユーザーの生体要素およびユーザーに関連付けられた識別子に関係するものである。実施に応じて、これらの画像データは、生体要素と識別子を同時に含む唯一かつ同一の画像を表わし得る。これらの画像データは同様に、生体要素を含む少なくとも１つの画像および識別子を含む少なくとも１つの画像を伴う複数の画像を表わすこともできる。
【０１３０】
画像データの捕捉は、少なくとも１つ以上の光学的画像データ捕捉ユニットを用いて行なうことができる。例えば超音波、容量性などの他のタイプの画像データ捕捉ユニットを使用することが可能である。
【０１３１】
ひとたび画像データが捕捉されたならば、これらの画像データは、処理ユニットに伝達され、こうして処理ユニットはデータを獲得する。ステップ１２０１では、生体要素（指紋、顔、虹彩、静脈網その他）が抽出される。ステップ１２０２では、識別子（一続きの英数字列、ロゴ、バーコードなど）が抽出される。
【０１３２】
これらの抽出は、例えば、形状または文字の認識により行なわれる。生体要素については（そして任意には識別子についても）、抽出によって、上述の通り基準要素と比較すべき生体要素（または任意には識別子）の表現を決定することができる。
【０１３３】
生体要素および識別子がひとたび得られたならば、識別子から、基準要素の検索が開始される（ステップ１２０３）。
【０１３４】
この検索は、生体認証システム自体の内部で、あるいは外部（または遠隔）データベースの内部で開始され得る。ここで問題となるのは、メモリーユニット中の識別子に関連付けられた基準要素を得ることを目的とするクエリーをデータ記憶モジュールに差し向けることである。
【０１３５】
基準要素は、ユーザーから予め生成される生体要素の表現である。このとき、メモリーユニットは生体要素バンク（またはこれらの生体要素表現のバンク）とみなすことができ、各基準要素は、１つの財産、場所、業務その他へのアクセスが許可されるユーザーに関連付される。
【０１３６】
基準要素の検索は、ステップ１２０４の際に行なわれる。検索は、システム自体の内部で、あるいは外部データベース内で行なわれる。ここで問題となるのは、ステップ１２０２で得られた識別子を含む入力を用いて、１つの基準要素を関連表の中で読出すことである。
【０１３７】
基準要素が識別子に対応する場合、この要素は、ステップ１２０５の際に得られる。例えば、要素は、データベースから受けとられる。
【０１３８】
その後、ステップ１２０６に際して、ステップ１２０２で抽出された生体要素が基準要素に対応するか否かを決定するために比較が行なわれる。比較は例えば、認証システムによって実施される。ここで問題となるのは、例えば、上述の表現などに基づいて、抽出された生体要素と基準要素の間の共通点全体を決定することである。これらの共通点は、例えば、既定のゾーン上で検索される。
【０１３９】
例えば、その後対応百分率が決定される。
【０１４０】
実施形態にしたがって、比較はデータベース内で実施される。この場合、抽出される生体要素は、比較のためデータベースに伝送され、システムは比較の結果に対応する回答（例えば百分率）を受け取る。
【０１４１】
その後、ステップ１２０７に際し、この対応百分率により生体要素が基準要素に正しく対応することを演繹できるか否かが決定される。例えば、百分率は閾値に比較される。
【０１４２】
抽出された生体要素が基準要素に対応しないことが決定された場合（「いいえ」）、ユーザーは認証されず、不合格メッセージがステップ１２０８で発信される。例えば、メッセージはスクリーン上に表示される。
【０１４３】
抽出された生体要素が基準要素に対応することが決定された場合（「はい」）、ユーザーは認証され、認証合格メッセージがステップ１２０９で発信される。例えば、メッセージはスクリーン上に表示される。
【０１４４】
遠隔サーバーへのリンクを用いた（例えばインターネットネットワークを介して）間接的識別を使用するすでに企図された一変形形態によると、認証システムまたはデータベースは、回答として１つの識別子を得るためリンクを使用して遠隔サーバーに問い合わせることができる。このために、サーバーは、例えばインターネットクエリ中で受けとったデータ（例えばｈｔｔｐ）と識別子をリンクさせる表を記憶し、この表により、認証システムに再送すべき識別子を捜し出すことができる。
【０１４５】
生体要素と基準要素の間の比較がこの遠隔サーバー内で行なわれることも想定できるが、その場合は、この遠隔サーバーが同様に基準要素も記憶する。この場合、生体要素を表わすデータを遠隔サーバーに送ることができる。
【０１４６】
変形形態において、遠隔サーバーは、遠隔サーバーおよび比較を行なうエンティティ中に記憶された暗号手段（特に暗号キーを含む）によってセキュリティが確保された通信を介して、比較を行なうエンティティに対し基準生体要素を提供することができる。
【０１４７】
以上で記述した方法は、ユーザーに関連付けられた識別子のための媒体を提供するプロセスによって補完され得る。このようなプロセスのステップは、図１３の流れ図を参照して記述されている。これらのステップは、図１２のステップよりも前に実施され得る。
【０１４８】
ステップ１３０の際に、ユーザーの生体要素を表わすデータが得られる。例えば、これらのデータは、光学、超音波、容量性などのタイプの画像データ捕捉ユニットを介して、画像データを捕捉することによって得られる。
【０１４９】
次に、１つの識別子が生成される。これは例えば、英数字列、バーコードなどである。
【０１５０】
識別子はその後、対応表中で、獲得データ（任意にはステップ１２０６で行なわれる比較を目的として簡略化のために処理されたもの）に関連付される。獲得データはそこに基準要素として記憶される。
【０１５１】
その後識別子は、ステップ１３３で媒体上に書き込まれる。この書き込みには、ユーザーの皮膚の一部分（手掌、指その他）上への刺青または彫刻が含まれる可能性がある。さらに、眼科用レンズ上への印刷、ユーザーの皮膚の一部分に接着すべきラベルであってもよい。これはまた、メガネフレーム上への識別子の印刷または彫刻でもあり得る。
【０１５２】
書き込みは、スクリーンが備わり識別子を表示するように構成された携帯型電子デバイスのメモリー内に識別子を記録することから成っていてもよい。
【０１５３】
最後に、識別子が上に書き込まれた媒体は、ステップ１３４でユーザーに提供される。刺青または彫刻の場合、媒体の提供ステップは、刺青または彫刻を終結させることから成る。
【０１５４】
当業者であれば、本発明の一実施形態に係る方法を実施するためのコンピュータプログラムを、図１２および１３の流れ図およびこの詳細な説明を読んだ上で実現することができる。
【０１５５】
図１４は、実施形態に係る生体認証システムを示している。システムは認証デバイス１４０を含んでいる。このデバイスは、メモリーユニット１４１（ＭＥＭ）を含む。このメモリーユニットには、一実施形態に係る方法の実施の際に用いられる計算データを非持続的に記憶するためのランダムアクセスメモリーが含まれる。その上、メモリーユニットには、例えば一実施形態に係るコンピュータプログラムを記憶してシステムの処理ユニット１４２（ＰＲＯＣ）のプロセッサ（図示せず）がそれを実行できるようにする不揮発性メモリ（例えばＥＥＰＲＯＭタイプ）が含まれている。メモリーユニットは同様に、以上で言及した他のデータを記憶することもできる。メモリーユニットは特に、ユーザー識別子と基準要素の間の対応表を記憶して、これらの生体要素との比較を可能にすることができる。
【０１５６】
その上デバイスは、例えばネットワーク１４５（ＮＥＴ）および接続１４６（有線または無線）を介してデータベース１４４（ＢＤ）と通信するために、通信ユニット１４３（ＣＯＭ）を含んでいる。このデータベースは例えば、ユーザー識別子と基準要素間の対応表を記憶して、これらの生体要素との比較を行なうことができるようにする（例えば、このデータベースは、メモリーユニットの代りに表を記憶する）。
【０１５７】
通信ユニットは同様に、ネットワーク１４５（ＮＥＴ）および接続１４８（有線または無線）を介して画像データ捕捉ユニット１４７（ＩＭＧ）との通信を実施することもできる。捕捉ユニットは光学、超音波その他のタイプであり得る。その上システムは複数の画像データ捕捉ユニットを含むことができる。
【０１５８】
さらにシステムは、識別子を表示して画像データ捕捉ユニットが識別子を得ることができるようにするためのユーザー識別子表示デバイス１４９（ＩＤ）を含んでいてよい。このデバイスは、上述の通り、例えば１本のメガネ、スクリーン付き携帯型電子デバイス（モバイル電話、タッチパッドその他）であり得る。
【０１５９】
上述のシステムは、異なるタイプの認証（指紋、顔、虹彩、静脈網その他）のために使用可能である。
【０１６０】
システムの異なるユニットは、同一の一体型デバイスまたは分割された複数のデバイスの一部を成すことができる。一体型デバイスの場合、ネットワーク１４５を１本のデータバスに集約することができる。
【０１６１】
システムはさらに、図１３を参照しながら記述されている通り、媒体中への識別子の書き込みユニット（図示せず）を含むことができる。
【０１６２】
本発明について、添付図面を参照しながら、この詳細な説明中に記述し例示した。しかしながら、本発明は提示された実施形態に限定されるものではない。当業者であれば、本明細書と添付の図面を読むことで、他の変形形態、実施形態および特徴の組合せを演繹することができる。
【０１６３】
具体的なニーズを満たすために、本発明の技術分野における当業者は修正または適応を加えることができるものである。
【０１６４】
クレーム中、「含む」という用語は、他の要素または他のステップを除外するものではない。複数であるか明確でない名詞は、複数を除外しない。本発明を実施するために、唯一つのプロセッサーまたは複数の他のユニットを使用することができる。提示および／または請求された異なる特徴は、有利な形で組合せることができる。明細書または異なる従属クレーム中のこれらの特徴の存在は、実際には、それらを組合せる可能性を除外するものではない。参照の指図を、本発明の範囲を限定するものと理解することはできない。
【図１】
2014083452.tif 000003
【図２】
2014083452.tif 000004
【図３】
2014083452.tif 000005
【図４】
2014083452.tif 000006
【図５】
2014083452.tif 000007
【図６】
2014083452.tif 000008
【図７】
2014083452.tif 000009
【図８】
2014083452.tif 000010
【図９】
2014083452.tif 000011
【図１０】
2014083452.tif 000012
【図１１】
2014083452.tif 000013
【図１２】
2014083452.tif 000014
【図１３】
2014083452.tif 000015
【図１４】
2014083452.tif 000016